(57)【要約】【課題】装置全体をコンパクトな形状に収めることが可能となる空調装置を提供する。【解決手段】略矩形状に形成される顕熱交換器２５を収納するケーシング５の内部に、第１空気流入室２９、第１空気流出室３０、第２空気流入室３１、及び、第２空気流出室３２の夫々が区画形成され、ケーシング５内に、第２空気流出室３２に位置させる部分及び第１空気流入室２９に位置させる部分を回転に伴って変更させるように駆動回転自在に設けられた調湿ロータＬと、調湿ロータＬに供給される空気を加熱する加熱手段１２とが備えられ、顕熱交換器２５における第２空気流出室３２に臨む調湿ロータＬ側の側面２５ｄと第１空気流入室２９に臨む調湿ロータＬ側の側面２５ａとにより形成される角部２５ｅが調湿ロータＬに近付く傾斜姿勢となる形態で、顕熱交換器２５と調湿ロータＬとが近接配備されている。【選択図】図１
2008145019.tif 000002
【特許請求の範囲】
【請求項１】
ケーシング内に、略矩形状に形成され且つ互いに交差するように対向する一対の２辺にわたって設けられる２つの内部通路を通して空気を通流させながら熱交換させる熱交換器と、空気が通過可能に設けられ且つ通過する空気を調湿する調湿体及びその調湿体を駆動回転させる駆動手段を備えた調湿ロータとが、前記熱交換器の４個の角部のうちの１つの角部を前記調湿ロータに向かう斜め姿勢にて並ぶ状態で配備され、
前記調湿体の一部の領域、前記熱交換器における一方の内部通路の一端側出入部、及び、前記一方の内部通路を空気が通流する第１通気風路が形成され、且つ、前記調湿体の一部の領域を除く他の領域、前記熱交換器における他方の前記内部通路の一端側出入部、及び、前記他方の内部通路を空気が通流する第２通気風路が形成される形態で、前記ケーシングの内部が区画形成され、
前記第１通気風路内に、その第１通気風路を通流する空気を加熱する加熱手段が配備され、
前記調湿ロータが、前記調湿体の前記一部の領域を前記第１通気風路に位置させ且つ前記他の領域を前記第２通気風路に位置させるように配置され、且つ、前記調湿体における前記第１通気風路に位置させる部分及び前記第２通気風路に位置させる部分が回転に伴って変更するように、前記駆動手段により前記熱交換器と前記調湿ロータとの並び方向に沿う軸芯周りで回転操作されるように構成されている空調装置であって、
前記熱交換器における前記１つの角部を前記調湿ロータに近付ける状態で、前記熱交換器と前記調湿ロータとが近接配備されている空調装置。
【請求項２】
前記熱交換器は、前記第１通気風路を形成する前記一方の内部通路の一端側出入部を形成する前記調湿ロータ側の側面が、その熱交換器と前記調湿ロータとの並び方向に沿う仮想線に対して４５度よりも大きい角度をあけて傾斜させる状態で配備されている請求項１記載の空調装置。
【請求項３】
前記熱交換器は、前記１つの角部を、その熱交換器と前記調湿ロータとの並び方向に対して直交する方向に沿って前記調湿ロータの回転軸芯よりも前記第２通気風路側に寄った箇所に位置させる状態で配備されている請求項２記載の空調装置。
【請求項４】
前記加熱手段が、前記熱交換器における前記一方の内部通路の一端側出入部を形成する前記調湿ロータ側の側面に略沿うように近接させる状態で配備されている請求項１〜３のいずれか１項に記載の空調装置。
【請求項５】
前記第１通気風路を通して空気を通風させる第１通風手段と、前記第２通気風路を通して空気を通風させる第２通風手段とが備えられ、
前記ケーシング内において、前記調湿ロータ及び前記熱交換器が配設される空調機器配設空間に対して前記調湿ロータと前記熱交換器との並び方向と直交する方向に隣接する状態で送風機器配設空間が区画形成され、この送風機器配設空間内に、前記調湿ロータと前記熱交換器との並び方向に沿って並ぶ状態で、前記第１通風手段と前記第２通風手段とが配設されている請求項１〜４のいずれか１項に記載の空調装置。
【発明の詳細な説明】
【技術分野】
【０００１】
本発明は、ケーシング内に、略矩形状に形成され且つ互いに交差するように対向する一対の２辺にわたって設けられる２つの内部通路を通して空気を通流させながら熱交換させる熱交換器と、空気が通過可能に設けられ且つ通過する空気を調湿する調湿体及びその調湿体を駆動回転させる駆動手段を備えた調湿ロータとが、前記熱交換器の４個の角部のうちの１つの角部を前記調湿ロータに向かう斜め姿勢にて並ぶ状態で配備され、
前記調湿体の一部の領域、前記熱交換器における一方の内部通路の一端側出入部、及び、前記一方の内部通路を空気が通流する第１通気風路が形成され、且つ、前記調湿体の一部の領域を除く他の領域、前記熱交換器における他方の前記内部通路の一端側出入部、及び、前記他方の内部通路を空気が通流する第２通気風路が形成される形態で、前記ケーシングの内部が区画形成され、
前記第１通気風路内に、その第１通気風路を通流する空気を加熱する加熱手段が配備され、
前記調湿ロータが、前記調湿体の前記一部の領域を前記第１通気風路に位置させ且つ前記他の領域を前記第２通気風路に位置させるように配置され、且つ、前記調湿体における前記第１通気風路に位置させる部分及び前記第２通気風路に位置させる部分が回転に伴って変更するように、前記駆動手段により前記熱交換器と前記調湿ロータとの並び方向に沿う軸芯周りで回転操作されるように構成されている空調装置に関する。
【背景技術】
【０００２】
かかる空調装置は、例えば、第１通気風路又は第２通器風路のいずれか一方の通気風路を通して外気を給気用空気として通流させて空調対象空間に供給すると共に、他方の風路を通して空調対象空間の空気を排気用空気として通流させて外部に排出するようにして、前記給気用空気と前記排気用空気とを前記熱交換器にて熱交換しながら、空調対象空間を換気することができるようにしたものであり、例えば、住宅内の複数の部屋等を空調対象空間とする用途で用いられ、住宅の天井裏等に設置されることになる。
【０００３】
説明を加えると、空調対象空間の空気又は廊下等他の空間から吸い込む屋内空気を前記排気用空気として、前記熱交換器における一方の内部通路、加熱作用状態の前記加熱手段、及び、前記調湿体の一部の領域を通過して外部に排気するように第１通気風路を通して通流させ、且つ、外気を前記給気用空気として、前記調湿体の他の領域、前記熱交換器における他方の内部通路を通過して空調対象空間に供給するように第２通気風路を通して通流させると、空調対象空間からの排出用空気が前記加熱手段にて加熱されたのちに調湿体の一部の領域を通過して外部に排出され、且つ、外気が調湿体における他の領域を通過して空調対象空間に供給される形態で運転されることにより、給気用空気中の水蒸気が調湿体に吸収され、その調湿体に吸収された水分が排気用空気に放出されて外部に排出され、供給用空気が除湿された状態で空調対象空間に供給されるので、空調対象空間を除湿しながら換気することができる。
【０００４】
又、外気を前記給気用空気として、前記熱交換器における一方の内部通路、加熱作用状態の前記加熱手段、及び、前記調湿体の一部の領域を通過して空調対象空間に供給するように第１通気風路を通して通流させ、且つ、空調対象空間の空気を前記排気用空気として、前記調湿体の他の領域、前記熱交換器における他方の内部通路を通過して外部に排気するように第２通気風路を通して通流させると、前記加熱手段にて加熱されたのち調湿体の一部の領域を通過して給気用空気が空調対象空間に供給され、且つ、空調対象空間からの排出用空気が調湿体における他の領域を通過する形態で運転されることにより、排出用空気中の水蒸気が調湿体に吸収され、その調湿体に吸収された水分が供給用空気に放出されて供給用空気が加湿された状態で空調対象空間に供給されるので、空調対象空間を無給水にて加湿しながら換気することができる。
【０００５】
そして、このような空調装置は、前記ケーシング内において、略矩形状に形成された前記熱交換器と前記調湿ロータとが、前記熱交換器の４個の角部のうちの１つの角部を前記調湿ロータに向かう斜め姿勢にて並ぶ状態で配備されることになるが、従来では、前記熱交換器が、前記第１通気風路を形成する前記一方の内部通路の一端側出入部を形成する前記調湿ロータ側の側面が、その熱交換器と前記調湿ロータとの並び方向に沿う仮想線に対して約４５度の角度をあけて傾斜させる状態で、且つ、前記熱交換器と前記調湿ロータとを離間させた状態で配備する構成のものがあった（例えば、特許文献１参照。）。
【０００６】
【特許文献１】特開２０００−３４６４００号公報
【発明の開示】
【発明が解決しようとする課題】
【０００７】
上記従来構成においては、前記ケーシング内において、前記熱交換器と前記調湿ロータとを離間した状態で配備する構成となっているので、前記ケーシングの前記熱交換器と前記調湿ロータとの並び方向での設置用空間の寸法が大きいものとなるから、その結果、前記ケーシングの前記並び方向の寸法が大きくなり、装置全体が大型化する不利がある。その結果、例えば、住宅の天井裏等の狭い空間内に設置するような場合において、装置が大型化することで、設置作業において扱い難いものとなる等の不利な面があった。
【０００８】
本発明の目的は、小型化して設置作業等を行い易いものにすることが可能となる空調装置を提供する点にある。
【課題を解決するための手段】
【０００９】
本発明に係る空調装置は、ケーシング内に、略矩形状に形成され且つ互いに交差するように対向する一対の２辺にわたって設けられる２つの内部通路を通して空気を通流させながら熱交換させる熱交換器と、空気が通過可能に設けられ且つ通過する空気を調湿する調湿体及びその調湿体を駆動回転させる駆動手段を備えた調湿ロータとが、前記熱交換器の４個の角部のうちの１つの角部を前記調湿ロータに向かう斜め姿勢にて並ぶ状態で配備され、
前記調湿体の一部の領域、前記熱交換器における一方の内部通路の一端側出入部、及び、前記一方の内部通路を空気が通流する第１通気風路が形成され、且つ、前記調湿体の一部の領域を除く他の領域、前記熱交換器における他方の前記内部通路の一端側出入部、及び、前記他方の内部通路を空気が通流する第２通気風路が形成される形態で、前記ケーシングの内部が区画形成され、
前記第１通気風路内に、その第１通気風路を通流する空気を加熱する加熱手段が配備され、
前記調湿ロータが、前記調湿体の前記一部の領域を前記第１通気風路に位置させ且つ前記他の領域を前記第２通気風路に位置させるように配置され、且つ、前記調湿体における前記第１通気風路に位置させる部分及び前記第２通気風路に位置させる部分が回転に伴って変更するように、前記駆動手段により前記熱交換器と前記調湿ロータとの並び方向に沿う軸芯周りで回転操作されるように構成されているものであって、
その第１特徴構成は、前記熱交換器における前記１つの角部を前記調湿ロータに近付ける状態で、前記熱交換器と前記調湿ロータとが近接配備されている点にある。
【００１０】
第１特徴構成によれば、前記ケーシング内において、前記熱交換器における前記１つの角部を前記調湿ロータに近付ける状態で、前記熱交換器と前記調湿ロータとが近接配備されているから、前記熱交換器と前記調湿ロータとの並び方向における設置用空間の寸法を短いものにして、ケーシングの前記並び方向の寸法をコンパクト化することができ、装置全体を小型化させることが可能となる。
【００１１】
従って、第１特徴構成によれば、小型化して設置作業等を行い易いものにすることが可能となる空調装置を提供できるに至った。
【００１２】
本発明の第２特徴構成は、第１特徴構成に加えて、前記熱交換器は、前記第１通気風路を形成する前記一方の内部通路の一端側出入部を形成する前記調湿ロータ側の側面が、その熱交換器と前記調湿ロータとの並び方向に沿う仮想線に対して４５度よりも大きい角度をあけて傾斜させる状態で配備されている点にある。
【００１３】
第２特徴構成によれば、ケーシング内において、前記熱交換器を前記調湿ロータに対して、前記熱交換器の４個の角部のうちの１つの角部を前記調湿ロータに向かう斜め姿勢にて並ぶ状態で配備するにあたり、前記第１通気風路を形成する前記一方の内部通路の一端側出入部を形成する前記調湿ロータ側の側面が、その熱交換器と前記調湿ロータとの並び方向に沿う仮想線に対して４５度よりも大きい角度をあけて傾斜させる状態で配備されるようにしたから、第１通気風路を通過するように流動する空気が、熱交換器における前記一方の内部通路の他端側から排出されて前記調湿ロータに向けて流動するときに、調湿ロータの回転軸芯に近い箇所にも適切に流動させることが可能となって、調湿ロータにおける前記第１通気風路に位置する部分に対してほぼ均等に空気を流動させることが可能となる。
【００１４】
説明を加えると、熱交換器と調湿ロータとが近接配備される場合において、前記熱交換器における前記一方の内部通路の一端側出入部を形成する前記調湿ロータ側の側面が、その熱交換器と前記調湿ロータとの並び方向に沿う仮想線に対して４５度又はそれに近い角度をあけて傾斜させる状態で配備されるものであれば、熱交換器における前記一方の内部通路の一端側出入部から排出される空気が４５度又はそれに近い角度の傾斜を持って調湿ロータに対して流動するので、例えば、調湿ロータを通過するときに、４５度の傾斜角をもって調湿ロータに吹き付けられるので、調湿ロータ内を流動し難いものになる不利がある。その結果、調湿ロータによる空気に対する除湿や加湿等の調湿作用が良好に行えないおそれがある。これに対して、第２特徴構成によれば、前記第１通気風路を形成する前記一方の内部通路の一端側出入部を形成する前記調湿ロータ側の側面が、その熱交換器と前記調湿ロータとの並び方向に沿う仮想線に対して４５度よりも大きい角度をあけて傾斜させる状態で配備されるので、調湿ロータに対して、できるだけ回転軸芯方向に沿うように空気を供給することで、空気を流動させ易い状態で通風させることが可能となる。
【００１５】
従って、第２特徴構成によれば、調湿ロータに対して空気を流動させ易い状態で通風させることが可能となって、調湿ロータによる空気に対する除湿や加湿等の調湿作用を良好に行うことが可能となる。
【００１６】
本発明の第３特徴構成は、第２特徴構成に加えて、前記熱交換器は、前記１つの角部を、その熱交換器と前記調湿ロータとの並び方向に対して直交する方向に沿って前記調湿ロータの回転軸芯よりも前記第２通気風路側に寄った箇所に位置させる状態で配備されている点にある。
【００１７】
第３特徴構成によれば、前記熱交換器は、前記１つの角部を前記並び方向に対して直交する方向に沿って前記調湿ロータの回転軸芯よりも前記第２通気風路側に寄った箇所に位置させる状態で配備されるので、並び方向に沿う仮想線に対して４５度よりも大きい角度をあけて傾斜させる状態で設けられた前記熱交換器における前記一方の内部通路の一端側出入部を形成する前記調湿ロータ側の側面から供給される空気を、調湿ロータの回転軸芯に近い箇所に対しても適切に流動させることが可能となり、調湿ロータに対する空気の流動をより均等化させることが可能となる。
【００１８】
従って、第３特徴構成によれば、調湿ロータに対する空気の流動をより均等化させることが可能となって、調湿ロータによる空気に対する除湿や加湿等の調湿作用をより良好に行えるものとなる。
【００１９】
本発明の第４特徴構成は、第１特徴構成〜第３特徴構成のいずれかに加えて、前記熱交換器における前記一方の内部通路の一端側出入部を形成する前記調湿ロータ側の側面に略沿うように近接させる状態で、前記第１通気風路を通流する空気を加熱する加熱手段が配備されている点にある。
【００２０】
第４特徴構成によれば、前記第１通気風路を通流する空気を加熱する加熱手段が、前記熱交換器における前記一方の内部通路の一端側出入部を形成する前記調湿ロータ側の側面に略沿うように近接させる状態で設けられるから、熱交換器の一方の内部通路を通過した空気はムラのない状態でほぼ均等に加熱作用を受けることになり、加熱された後の空気の温度がバラつきの少ない均一な状態で調湿ロータに供給されることになる。
【００２１】
従って、前記加熱手段によって加熱された後の空気の温度がバラつきの少ない均一な状態で調湿ロータに供給することが可能となり、調湿ロータの水分の蒸発を効率よく行うことにより、前記熱交換器の前記一方の内部通路を通過する空気の加湿や、前記熱交換器の前記他方の内部通路を通過する空気の除湿を行う場合における調湿処理能力を高めることが可能となる。また空気が通過する面積を大きくとることができ、圧力損失を低減することも可能となる。
【００２２】
本発明の第５特徴構成は、第１特徴構成〜第４特徴構成のいずれかに加えて、前記第１通気風路を通して空気を通風させる第１通風手段と、前記第２通気風路を通して空気を通風させる第２通風手段とが備えられ、前記ケーシング内において、前記調湿ロータ及び前記熱交換器が配設される空調機器配設空間に対して前記調湿ロータと前記熱交換器との並び方向と直交する方向に隣接する状態で送風機器配設空間が区画形成され、この送風機器配設空間内に、前記調湿ロータと前記熱交換器との並び方向に沿って並ぶ状態で、前記第１通風手段と前記第２通風手段とが配設されている点にある。
【００２３】
第５特徴構成によれば、第１通風手段の通風作用によって前記第１通気風路を通して空気が通風されることになり、第２通風手段の通風作用によって前記第２通気風路を通して空気が通風されることになる。そして、第１通風手段の通風作用によって通風する空気と第２通風手段の通風作用によって通風する空気とが熱交換器により熱交換され、且つ、調湿ロータによって調湿作用を受けることになる。
【００２４】
例えば、前記第１通気風路の入口から空調対象空間の空気を吸入して外部に排気し、且つ、前記第２通気風路の入口から外気を吸入して空調対象空間に給気するように通風することで、空調対象空間を除湿しながら換気することが可能となる。又、前記第１通気風路の入口から外気を吸入して空調対象空間に給気し、且つ、前記第２通気風路の入口から空調対象空間の空気を吸入して外部に排気するように通風することで、空調対象空間を加湿しながら換気することが可能となる。
【００２５】
そして、前記ケーシング内に、前記調湿ロータ及び前記熱交換器が配設される空調機器配設空間に対して前記調湿ロータと前記熱交換器との並び方向と直交する方向に隣接する状態で送風機器配設空間が区画形成され、この送風機器配設空間内に、前記調湿ロータと前記熱交換器との並び方向に沿って並ぶ状態で、前記第１通風手段と前記第２通風手段とが配設されているから、ケーシングの全体形状を正方形に近い形状に形成することが可能となって、住宅の天井裏等に設置されるような場合において、装置の持ち運び等が行い易いものになる。
【００２６】
ちなみに、空調機器配設空間に対して前記調湿ロータと前記熱交換器との並び方向に沿って直列状態で隣接する状態で前記送風機器配設空間が区画形成される構成であれば、ケーシングが前記並び方向に沿って長尺な横長形状になって、持ち運びが行い難いものとなる不利があるが、ケーシングが正方形に近い形状であれば、持ち運びが行い易いものとなる。
【発明を実施するための最良の形態】
【００２７】
〔第１実施形態〕
以下、本発明の第１実施形態を説明する。
図１に示すように、本発明に係る空調装置としてのデシカント空調装置は、外気ＯＡを装置内に吸い込むための外気吸込口１、その装置内に吸い込んだ外気ＯＡを供給用空気ＳＡとして空調対象空間としての複数の空調対象室に供給するための給気送出口２、住宅内の空気（以下、内気と称する）ＲＡを装置内に吸い込むための内気吸込口３及びその装置内に吸い込んだ内気ＲＡを排出用空気ＥＡとして屋外に排出するための排気送出口４を備えたケーシング５を用いて組み付けて構成してあり、図示は省略するが、住宅の天井裏等に配置する。
【００２８】
図示は省略するが、外気ＯＡを導入する外気導入ダクトを前記外気吸込口１に接続し、各空調対象室の給気口に接続した給気ダクトを前記給気送出口２に接続し、住宅内の排気口に接続した排気ダクトを前記内気吸込口３に接続し、内気ＲＡを屋外に排出する排気ダクトを前記排気送出口４に接続する。
そして、前記外気導入ダクトを通じて導入した外気ＯＡを空調して供給用空気ＳＡとして前記給気ダクトを通じて各空調対象室に供給すると共に、前記排気ダクトを通じて住宅内から吸込んだ内気ＲＡを排出用空気ＥＡとして前記排気導出ダクトを通じて屋外に排出するように構成してある。
【００２９】
この第１実施形態の空調装置は、除湿タイプの空調装置であり、ケーシング５内に、略矩形状に形成され且つ互いに交差するように対向する一対の２辺にわたって設けられる２つの内部通路を通して空気を通流させながら熱交換させる熱交換器２５と、空気が通過可能に設けられ且つ通過する空気を調湿する調湿体１０及びその調湿体１０を駆動回転させる駆動手段としての電動モータ１１を備えた調湿ロータＬとを、前記熱交換器２５の４個の角部のうちの１つの角部２５ｅを前記調湿ロータＬに向かう斜め姿勢にて並ぶ状態で配備して構成してある。又、調湿体１０の一部の領域、熱交換器２５における一方の内部通路の一端側出入部、及び、前記一方の内部通路を空気が通流する第１通気風路としての排気風路８が形成され、且つ、前記調湿体１０の一部の領域を除く他の領域、前記熱交換器２５における他方の前記内部通路の一端側出入部、及び、前記他方の内部通路を空気が通流する第２通気風路としての給気風路６が形成される形態で、前記ケーシング５の内部を区画形成している。従って、この実施形態では、排気風路８が第１通気風路を構成し、給気風路６が第２通気風路を構成することになる。
【００３０】
そして、前記調湿ロータＬは、前記調湿体１０の前記一部の領域を前記排気風路８に位置させ且つ前記他の領域を前記給気風路６に位置させるように配置され、且つ、前記調湿体１０における前記排気風路８に位置させる部分及び前記給気風路６に位置させる部分が回転に伴って変更するように、駆動手段としての電動モータ１１により熱交換器２５と調湿ロータＬとの並び方向に沿う軸芯周りで回転操作される構成となっている。
【００３１】
又、前記熱交換器２５における前記１つの角部２５ｅを前記調湿ロータＬに近付ける状態で、前記熱交換器２５と前記調湿ロータＬとを近接配備してあり、前記熱交換器２５は、前記排気風路８を形成する前記一方の内部通路の一端側出入部を形成する前記調湿ロータＬ側の側面２５ｄが、その熱交換器２５と前記調湿ロータＬとの並び方向に沿う仮想線に対して４５度よりも大きい角度をあけて傾斜させる状態で配備してある。さらには、前記熱交換器２５は、前記１つの角部２５ｅを、その熱交換器２５と前記調湿ロータＬとの並び方向に対して直交する方向に沿って前記調湿ロータＬの回転軸芯よりも前記給気風路６側に寄った箇所に位置させる状態で配備してある。
【００３２】
以下、空調装置の各部について具体的な構成について説明を加える。
図１ないし図３に示すように、前記ケーシング５は、薄型状の直方体形状に形成し、その厚さ方向視における４つの側壁のうちの一側壁に、前記外気吸込口１に対応する第１吸込口５ａ及び前記排気送出口４に対応する第２送出口５ｄを並べて設け、それら第１吸込口５ａ及び第２送出口５ｄを設けた側壁に対向する側壁に、前記内気吸込口３に対応する第２吸込口５ｃ及び給気送出口２に対応する第１送出口５ｂを、第２吸込口５ｃが前記第１吸込口５ａと同じ側に位置する状態で並べて設けてある。
【００３３】
前記ケーシング５の内部を、中間隔壁１５にて、前記第１吸込口５ａ及び前記第２吸込口５ｃの側の風路形成部１６と、前記第２送出口５ｄ及び前記第１送出口５ｂの側の送風機室形成部１７とに仕切り、更に、その送風機室形成部１７を、送風機室隔壁１８にて、前記第１送出口５ｂの側の第１送風機室１９と前記第２送出口５ｄの側の第２送風機室２０とに仕切ってある。このケーシング５は、図１に示すように、略正方形に近い外形形状となっており、持ち運びし易く設置作業及びメンテナンス作業が行い易い形状になっている。
【００３４】
図１、図２及び図４に基づいて、前記調湿ロータＬについて説明を加える。
前記調湿体１０は、円盤状でその軸心方向に通気自在なハニカム状の基材に吸湿材（シリカゲルや塩化リチウム等）を保持して構成してあり、その外周部に全周にわたってギア部２１を設けてある。そして、この調湿体１０をその軸心にて回転自在に矩形枠状の支持枠２２に支持すると共に、その支持枠２２に、前記電動モータ１１をその出力軸に設けたギア２３を調湿体１０の外周部のギア部２１に噛み合わせた状態で設けて、ユニット状に構成してある。そして、電動モータ１１を作動させることにより、調湿体１０を軸芯周りに駆動回転するように構成してある。
【００３５】
前記支持枠２２における前記調湿体１０の回転軸心方向に並ぶ両側部の夫々には、一対の概ね半円状の開口２２ｗを、前記軸心方向視において一方の側部の開口２２ｗと他方の側部の開口２２ｗとが重なる状態で形成してある。その支持枠２２の各開口２２ｗには、シール材２４を、その先端が前記調湿体１０に当接する状態で各開口２２ｗの全周にわたって嵌め込んで設けてある。
【００３６】
図１に示すように、前記熱交換器２５は、前記一方の内部通路である第１熱交換流路（図示省略）及び前記他方の内部通路である第２熱交換流路（図示省略）を直交する状態で且つ夫々の熱交換流路を通流する流体同士で熱交換される状態で備えた静止型の顕熱熱交換器にて構成してある。説明を加えると、この顕熱交換器２５は、厚さ方向視の形状が略正方形状の直方体又は立方体状であり、図示は省略するが、厚さ方向に複数の第１熱交換流路及び複数の第２熱交換流路が隔壁を隔てて交互に並ぶ形態でアルミニウム等の熱伝導率の高い材料にて形成してある。
【００３７】
そして、この顕熱交換器２５における厚さ方向視での４つの側面のうちの１つの側面２５ａには、前記複数の第２熱交換流路の入口側開口部が形成され、その側面２５ａとは反対側の側面２５ｂには、前記複数の第２熱交換流路の出口側開口部が形成され、残りの２つの側面のうちの１つの側面２５ｃには、前記複数の第１熱交換流路の入口側開口部が形成され、その側面２５ｃとは反対側の側面２５ｄには、前記複数の第１熱交換流路における一端側出入部としての出口側開口部が形成されている。
【００３８】
そして、図１に示すように、前記調湿ロータＬと前記顕熱交換器２５とを、前記ケーシング５内における前記風路形成部１６内に、調湿ロータＬを第１吸込口５ａの側に位置させる状態で第１吸込口５ａ及び第２吸込口５ｃの並び方向に並べて設けてある。
調湿ロータＬは、一対の開口２２ｗが前記ケーシング５の横幅方向に並ぶ姿勢で、前記ケーシング５内における風路形成部１６内を第１吸込口５ａの側の部分と第２吸込口５ｃの側の部分とに仕切る状態で設け、更に、その風路形成部１６内における調湿ロータＬよりも第１吸込口５ａの側の部分を、風路仕切り壁２６により、調湿ロータＬの一対の開口２２ｗのうちの一方と前記第１吸込口５ａが臨む第１吸込室２７と、調湿ロータＬの一対の開口２２ｗのうちの他方が臨む第２送出室２８とに仕切ってある。
【００３９】
前記顕熱交換器２５を、前記複数の第２熱交換流路の入口側開口部が形成された側面２５ａを前記中間隔壁１５の側とは反対側に向けた姿勢で、その側面２５ａと前記複数の第１熱交換流路の出口側開口部が形成された側面２５ｄとにより形成される角部２５ｅを調湿ロータＬ側に向けてその調湿ロータＬに近接させた状態で設けて、ケーシング５内における前記風路形成部１６内における調湿ロータＬよりも前記第１吸込口５ｃの側の部分を、前記複数の第２熱交換流路の入口側開口部が形成された側面２５ａと前記調湿ロータＬの一対の開口２２ｗのうちの一方とが臨む前記第２空気流入室２９、前記複数の第２熱交換流路の出口側開口部が形成された側面２５ｂが臨む第１空気流出室３０、前記複数の第１熱交換流路の入口側開口部が形成された側面２５ｃ及び前記第２吸込口５ｃが臨む第２空気流入室３１、及び、前記複数の第１熱交換流路の出口側開口部が形成された側面２５ｄと前記調湿ロータＬの一対の開口２２ｗのうちの他方とが臨む第２空気流出室３２の４室に仕切ってある。
【００４０】
尚、調湿ロータＬにおける一対の開口部２２ｗの境界部分と顕熱交換器２５の前記角部２５ｅとわたって風路仕切り壁３３を設けて、その風路仕切り壁３３にて前記第１空気流入室２９と前記第２空気流出室３２とを仕切ってある。
【００４１】
前記顕熱交換器２５の配置形態について説明を加えると、この顕熱交換器２５は、前記一方の内部通路の一端側出入部としての複数の第１熱交換流路の出口側開口部を形成する前記調湿ロータＬ側の側面２５ｄが、その顕熱交換器２５と前記調湿ロータＬとの並び方向（図１の上下方向）に沿う仮想線（図１に示す構成においては、中間隔壁１５の壁面に沿う仮想線が対応する）に対して４５度よりも大きい角度をあけて傾斜させる状態で配備してある。すなわち、図１に示すように、前記顕熱交換器２５における前記側面２５ｄと前記並び方向に沿う仮想線との成す角度αが６５°になるように配備している。言い換えると、前記顕熱交換器２５は、前記側面２５ｄが、前記調湿ロータＬの軸芯方向の端面と４５°よりも小さい角度（２５°）で対向する状態で配備してある。
【００４２】
図１及び図３に示すように、前記中間隔壁１５には、前記第１空気流出室３０と前記第１送風機室１９とを連通する第１連通開口３４、及び、前記第２送出室２８と前記第２送風機室２０とを連通する第２連通開口３５を形成してある。
【００４３】
前記顕熱交換器２５における前記側面２５ｄに略沿うように近接させる状態で、前記排気風路８を通流する空気を加熱する加熱手段としての再生用加熱器１２が配備され、この再生用加熱器１２は、熱媒を通流させる熱媒流通管（図示省略）を空気の通過が可能なように蛇行状に配管した熱媒循環式に構成している。このように構成することで、顕熱交換器２５の複数の第１熱交換流路を通過した空気のほぼ全領域にわたって均等に加熱した状態で調湿ロータＬに向けて供給されることになる。
【００４４】
そして、その再生用加熱器１２と熱源機（図示省略）とを熱媒循環路３６にて接続して、その熱源機にて加熱した熱媒を熱媒循環路３６を通じて再生用加熱器１２に循環供給するように構成し、前記熱媒循環路３６に除湿用熱動弁３７を設けて、その除湿用熱動弁３７を開閉して前記再生用加熱器１２への熱媒の供給を断続することにより、前記再生用加熱器１２を加熱作用状態と加熱停止状態とに切り換え再生温度を自在にコントロールできるように構成してある。
【００４５】
上記したように配置構成を工夫することで、顕熱交換器２５を通過したのちに再生用加熱器１２にて加熱された空気が調湿ロータＬに対して通流するときに、調湿ロータ１０の開口２２ｗに流入する空気の温度がバラつきが少なく略全領域にわたり均等な温度分布となり、調湿性能が向上するものとなる。
【００４６】
図５、図６、図７には、排気風路８を通過する空気の温度の温度分布の本出願人による計測結果を示している。図５は、顕熱交換器２５及び再生用加熱器１２を通過した後の通風領域における９箇所の各箇所における温度分布を示している。この図から、通風領域の中での９箇所の各箇所において温度がほぼ一定になる温度が均等化していることが判る。
【００４７】
図６及び図７は、夫々、調湿ロータの開口２２ｗに流入する流入部での温度分布を示すものであるが、図６は、前記顕熱交換器２５における前記側面２５ｄと前記並び方向に沿う仮想線との成す角度αが４５°になる状態で顕熱交換器２５と調湿ロータＬとを配備したときにおける調湿ロータＬの開口２２ｗに流入する流入部での温度分布を示している。この計測結果から、調湿ロータの回転軸芯に近い箇所においては、空気の温度が低い状態になっていることが判る。
【００４８】
一方、図７は、図１に示すように、前記顕熱交換器２５における前記側面２５ｄと前記並び方向に沿う仮想線との成す角度αが６５°になる状態で顕熱交換器２５と調湿ロータＬとを配備したときにおける調湿ロータＬの開口２２ｗに流入する流入部での温度分布を示している。この図から、前記顕熱交換器２５における前記側面２５ｄと前記並び方向に沿う仮想線との成す角度αが４５°になる状態で配置したときに比べて、温度分布が均等化していることが判る。
【００４９】
図１に示すように、前記第１吸込口５ａ、前記第２吸込口５ｃには、夫々、通過する空気から除塵する第１フィルタ３８、第２フィルタ３９を設けてある。
【００５０】
この第１実施形態においては、前記第１吸込口５ａを前記外気吸込口１として、前記第１送出口５ｂを前記給気送出口２として夫々用い、前記給気送風機７を前記第１連通開口３４に吸引作用するように前記第１送風機室１９内に設けて、前記第１吸込室２７、前記第１空気流入室２９及び前記第１空気流出室３０を通過するように給気風路６を構成してある。
そして、前記給気送風機７を作動させることにより、前記外気吸込口１から吸い込んだ外気ＯＡを、第１吸込室２７、調湿ロータＬ、第１空気流入室２９、顕熱交換器２５の第１熱交換流路、第１空気流出室３０、第１連通開口３４を順次通過させる形態で、給気風路６を通して通流させて、給気送出口２から供給用空気ＳＡとして送出するように構成してある。
【００５１】
又、前記第２吸込口５ｃを前記内気吸込口３として、前記第２送出口５ｄを前記排気送出口４として夫々用い、前記排気送風機９を前記第２連通開口３５に吸引作用するように前記第２送風機室２０内に設けて、前記第２空気流入室３１、前記第２空気流出室３２及び前記第２送出室２８を通過するように排気風路８を構成してある。
そして、前記排気送風機９を作動させることにより、前記内気吸込口３から吸い込んだ内気ＲＡを、第２空気流入室３１、顕熱交換器２５の第２熱交換流路、第２空気流出室３２、調湿ロータＬ、第２送出室２８、第２連通開口３５を順次通過させる形態で、給気風路６を通して通流させて、排気送出口４から排出用空気ＥＡとして送出するように構成してある。
【００５２】
この空調装置には、運転を制御する運転制御手段としての運転制御部１３と、その運転制御部１３に各種制御情報を指令する遠隔操作式の操作部１４とが備えられており、運転制御部１３は次のような制御を実行する。
すなわち、前記運転制御部１３は、運転モードとして、前記給気送風機７及び前記排気送風機９を作動させ、前記調湿ロータＬを調湿用設定速度で回転駆動し、前記再生用加熱器１２を加熱作用状態にする除湿換気モード、及び、前記給気送風機７及び前記排気送風機９を作動させ、前記調湿ロータＬを停止させ、前記再生用加熱器１２を加熱停止状態にする通常換気モードを備えるように構成してある。
前記操作部１４には、図示を省略するが、上述のようにこの空調装置に備えさせてある複数の運転モードを択一的に選択して実行させる運転モード選択スイッチ等を設けてある。
【００５３】
次に、前記運転制御部１３の制御動作について説明する。
前記運転制御部１３は、前記操作部１４からの指令情報に基づいて、運転モード選択スイッチにて指令された運転モードを実行するように構成してある。
以下、上記の各運転モード夫々についての前記運転制御部１３の制御動作を説明する。
前記除湿換気モードでは、前記給気送風機７及び前記排気送風機９夫々を作動させ、前記調湿ロータＬを予め設定した調湿用設定速度にて回転駆動するように前記電動モータ１１を作動させ、前記除湿用熱動弁３７を開弁して前記再生用加熱器１２を加熱作用状態にする。
【００５４】
この除湿換気モードでは、図１を参照すると、内気吸込口３から排気風路８に吸い込まれた内気ＲＡは、顕熱交換器２５の第２熱交換流路、加熱作用状態の再生用加熱器１２、前記調湿用設定速度にて回転する調湿ロータＬを順次通過して、排気送出口４から排気ダクトを通じて排出用空気ＥＡとして屋外に排出され、一方、給気吸込口１から第２通気風路６に吸い込まれた外気ＯＡは、前記調湿用設定速度にて回転する調湿ロータＬ、顕熱交換器２５の第１熱交換流路を順次通過して通流して、給気送出口２から給気ダクトを通じて供給用空気ＳＡとして空調対象室に供給される。
【００５５】
そして、内気ＲＡは、顕熱交換器２５を通過するときに、外気ＯＡとの熱交換により加熱され、更に、再生用加熱器１２を通過することで加熱され、そのように加熱された内気ＲＡが調湿ロータＬを通過するときに調湿ロータＬから放湿されて加湿された後、排出用空気ＥＡとして屋外に排出され、一方、外気ＯＡは、調湿ロータＬを通過するときに、その外気ＯＡ中の水蒸気が調湿ロータＬに吸収されて除湿されると共に凝縮熱により加熱され、そのように除湿並びに加熱された外気ＯＡが顕熱交換器２５を通過するときに内気ＲＡとの熱交換により冷却され、そのように除湿並びに冷却された外気ＯＡが供給用空気ＳＡとして空調対象室に供給されるので、空調対象室が換気されながら除湿される。
【００５６】
前記通常換気モードでは、前記給気送風機７及び前記排気送風機９夫々を作動させ、前記電動モータ１１を停止させて前記調湿ロータＬの回転を停止させ、前記除湿用熱動弁３７を閉弁して前記再生用加熱器１２を加熱停止状態にする。
この通常換気モードでは、図１を参照すると、内気吸込口３から排気風路８に吸い込まれた内気ＲＡは、顕熱交換器２５の第２熱交換流路、加熱停止状態の再生用加熱器１２、回転停止状態の調湿ロータＬを順次通過して、排気送出口４から排気ダクトを通じて排出用空気ＥＡとして屋外に排出され、一方、給気吸込口１から第２通気風路６に吸い込まれた外気ＯＡは、回転停止状態の調湿ロータＬ、顕熱交換器２５の第１熱交換流路を順次通過して通流して、給気送出口２から給気ダクトを通じて供給用空気ＳＡとして空調対象室に供給されることになり、空調対象室が換気される。
【００５７】
〔第２実施形態〕
この第２実施形態の空調装置は、加湿タイプであり、上記の第１実施形態と同様に、外気吸込口１、給気送出口２、内気吸込口３及び排気送出口４を備えたケーシング５を用いて組み付けて構成してあり、住宅の天井裏等に配置する。
そして、第１実施形態と同様に、外気ＯＡを導入する外気導入ダクトを前記外気吸込口１に接続し、各空調対象室の給気口に接続した給気ダクトを前記給気送出口２に接続し、住宅内の排気口に接続した排気ダクトを前記内気吸込口３に接続し、内気ＲＡを屋外に排出する排気ダクトを前記排気送出口４に接続して、前記外気導入ダクトを通じて導入した外気ＯＡを空調して供給用空気ＳＡとして前記給気ダクトを通じて各空調対象室に供給する共に、前記排気ダクトを通じて住宅内から吸込んだ内気ＲＡを排出用空気ＥＡとして前記排気導出ダクトを通じて屋外に排出するように構成してある。
【００５８】
この加湿タイプの空調装置は、図８に示すように、ケーシング５内に、略矩形状に形成され且つ互いに交差するように対向する一対の２辺にわたって設けられる２つの内部通路を通して空気を通流させながら熱交換させる顕熱交換器２５と、空気が通過可能に設けられ且つ通過する空気を調湿する調湿体１０及びその調湿体１０を駆動回転させる駆動手段としての電動モータ１１を備えた調湿ロータＬとを、前記顕熱交換器２５の４個の角部のうちの１つの角部２５ｅを前記調湿ロータＬに向かう斜め姿勢にて並ぶ状態で配備して構成してある。又、調湿体１０の一部の領域、顕熱交換器２５における一方の内部通路の一端側出入部、及び、前記一方の内部通路を空気が通流する第１通気風路としての給気風路６が形成され、且つ、前記調湿体１０の一部の領域を除く他の領域、前記顕熱交換器２５における他方の前記内部通路の一端側出入部、及び、前記他方の内部通路を空気が通流する第２通気風路としての排気風路８が形成される形態で、前記ケーシング５の内部を区画形成している。従って、この実施形態では、給気風路６が第１通気風路を構成し、排気風路８が第２通気風路を構成することになる。
【００５９】
そして、前記調湿ロータＬは、前記調湿体１０の前記一部の領域を前記給気風路６に位置させ且つ前記他の領域を前記第２通気風路８に位置させるように配置され、且つ、前記調湿体１０における前記給気風路６に位置させる部分及び前記排気風路８に位置させる部分が回転に伴って変更するように、電動モータ１１により顕熱交換器２５と調湿ロータＬとの並び方向に沿う軸芯周りで回転操作される構成となっているが、第１実施形態のときと同じ構成であるから斜視図は省略する。
【００６０】
又、前記顕熱交換器２５における前記１つの角部２５ｅを前記調湿ロータＬに近付ける状態で、前記顕熱交換器２５と前記調湿ロータＬとを近接配備してあり、前記顕熱交換器２５は、前記排気風路８を形成する前記一方の内部通路の一端側出入部を形成する前記調湿ロータＬ側の側面２５ｄが、その顕熱交換器２５と前記調湿ロータＬとの並び方向に沿う仮想線に対して４５度よりも大きい角度をあけて傾斜させる状態で配備してある。さらには、前記顕熱交換器２５は、前記１つの角部２５ｅを、その顕熱交換器２５と前記調湿ロータＬとの並び方向に対して直交する方向に沿って前記調湿ロータＬの回転軸芯よりも前記第２通気風路６側に寄った箇所に位置させる状態で配備してある。
【００６１】
以下、空調装置の各部について説明を加える。
上記の第１実施形態と同様に、第１吸込口５ａ、第１送出口５ｂ、第２吸込口５ｃ及び第２送出口５ｄを備えたケーシング５の内部を、中間隔壁１５にて、前記第１吸込口５ａ及び前記第２吸込口５ｃの側の風路形成部１６と前記第２送出口５ｄ及び前記第１送出口５ｂの側の送風機室形成部１７とに仕切り、更に、その送風機室形成部１７を、送風機室隔壁１８にて、前記第１送出口５ｂの側の第１送風機室１９と前記第２送出口５ｄの側の第２送風機室２０とに仕切ってある。
そして、第１実施形態と同様に構成した調湿ロータＬ及び顕熱交換器２５を、第１実施形態と同様に、前記ケーシング５内における前記風路形成部１６内に並べて設け、更に、第１実施形態と同様に、前記風路形成部１６内における調湿ロータＬよりも第１吸込口５ａの側の部分を、風路仕切り壁２６により、第１吸込室２７と第２送出室２８とに仕切り、前記風路形成部１６内における調湿ロータＬよりも第２吸込口５ｃの側の部分を、顕熱交換器２５により、第１空気流入室２９、第１空気流出室３０、第２空気流入室３１及び第２空気流出室３２の４室に仕切ってある。
【００６２】
前記顕熱交換器２５の配置形態について説明を加えると、この第２実施形態においても、上記の第１実施形態と同様に、この顕熱交換器２５は、前記一方の内部通路の一端側出入部としての複数の第１熱交換流路の出口側開口部を形成する前記調湿ロータＬ側の側面２５ｄが、その顕熱交換器２５と前記調湿ロータＬとの並び方向（図１の上下方向）に沿う仮想線（図８に示す構成においては、中間隔壁１５の壁面に沿う仮想線が対応する）に対して４５度よりも大きい角度をあけて傾斜させる状態で配備してある。すなわち、図８に示すように、前記顕熱交換器２５における前記側面２５ｄと前記並び方向に沿う仮想線との成す角度αが６５°になるように配備している。言い換えると、前記顕熱交換器２５は、前記側面２５ｄが、前記調湿ロータＬの軸芯方向の端面と４５°よりも小さい角度（２５°）で対向する状態で配備してある。
【００６３】
第１実施形態と同様に、前記中間隔壁１５には、前記第１空気流出室３０と前記第１送風機室１９とを連通する第１連通開口３４、及び、前記第２送出室２８と前記第２送風機室２０とを連通する第２連通開口３５を形成してある。
【００６４】
前記顕熱交換器２５における前記側面２５ｄに略沿うように近接させる状態で、給気風路６を通流する空気を加熱する加熱手段としての加湿用加熱器４０を備えている。この加湿用加熱器４０は、熱媒を通流させる熱媒流通管（図示省略）を空気の通過が可能なように蛇行状に配管した熱媒循環式に構成し、図８に示すように、その加湿用加熱器４０を、前記第２空気流出室３２内に、前記顕熱交換器２５における前記複数の第１熱交換流路の出口部が形成された側面２５ｄに近接させた状態で設けてある。
【００６５】
前記加湿用加熱器４０と熱源機（図示省略）とを熱媒循環路４１にて接続して、その熱源機にて加熱した熱媒を熱媒循環路４１を通じて加湿用加熱器４０に循環供給するように構成してある。つまり、前記熱媒循環路４１に加湿用熱動弁４２を設けて、その加湿用熱動弁４２を開閉して前記加湿用加熱器４０への熱媒の供給を断続することにより、前記加湿用加熱器４０を加熱作用状態と加熱停止状態とに切り換え、加湿量又は送気温度を自在にコントロールできるように構成してある。
【００６６】
この第２実施形態においても、第１実施形態と同様に、前記第１吸込口５ａ、前記第２吸込口５ｃに、夫々、第１フィルタ３８、第２フィルタ３９を設けてある。尚、調湿ロータＬの構成は第１実施形態に記載したものと同じである。
【００６７】
この第２実施形態においては、前記第１吸込口５ａを前記内気吸込口３として、前記第１送出口５ｂを前記排気送出口４として夫々用い、前記排気送風機９を前記第１連通開口３４に吸引作用するように前記第１送風機室１９内に設けて、前記排気風路８を、前記第１吸込室２７、前記第１空気流入室２９及び前記第１空気流出室３０とを備えて構成してある。
そして、前記排気送風機９を作動させることにより、前記内気吸込口３から吸い込んだ内気ＲＡを、第１吸込室２７、調湿ロータＬ、第１空気流入室２９、顕熱交換器２５の第２熱交換流路、第１空気流出室３０、第１連通開口３４を順次通過させる形態で、排気風路８を通して通流させて、排気送出口４から排出用空気ＥＡとして送出するように構成してある。
【００６８】
又、前記第２吸込口５ｃを前記外気吸込口１として、前記第２送出口５ｄを前記給気送出口２として夫々用い、前記給気送風機７を前記第２連通開口３５に吸引作用するように前記第２送風機室２０内に設けて、給気風路６を、前記第２空気流入室３１、前記第２空気流出室３２及び前記第２送出室２８とを備えて構成してある。
そして、前記給気送風機７を作動させることにより、前記外気吸込口１から吸い込んだ外気ＯＡを、第２空気流入室３１、顕熱交換器２５の第１熱交換流路、第２空気流出室３２、調湿ロータＬ、第２送出室２８、第２連通開口３５を順次通過させる形態で、給気風路６を通して通流させて、給気送出口２から供給用空気ＳＡとして送出するように構成してある。
【００６９】
このように第２実施形態では、給気風路６と排気風路８の通流のしかたが第１実施形態とは異なるものの、ケーシング５内部における各装置の排気構成は第１実施形態と同じであるから、ケーシング５の正面図や断面図等は省略している。
【００７０】
前記運転制御部１３は、運転モードとして、前記給気送風機７及び前記排気送風機９を作動させ、前記調湿ロータＬを調湿用設定速度で回転駆動し、前記加湿用加熱器４０を加熱作用状態にする加湿換気モード、及び、前記給気送風機７及び前記排気送風機９を作動させ、前記調湿ロータＬを停止させ、前記加湿用加熱器４０を加熱停止状態にする通常換気モードを備えるように構成してある。
前記操作部１４には、図示を省略するが、上述のようにこの空調装置に備えさせてある複数の運転モードを択一的に選択して実行させる運転モード選択スイッチ等を設けてある。
【００７１】
次に、前記運転制御部１３の制御動作について、説明する。
運転制御部１３は、前記操作部１２からの指令情報に基づいて、運転モード選択スイッチにて指令された運転モードを実行するように構成してある。
以下、上記の各運転モード夫々についての前記運転制御部１３の制御動作を説明する。
前記加湿換気モードでは、前記給気送風機７及び前記排気送風機９夫々を作動させ、前記調湿ロータＬを予め設定した調湿用設定速度にて回転駆動するように前記電動モータ１１を作動させ、前記加湿用熱動弁４２を開弁して前記加湿用加熱器４０を加熱作用状態にする。
【００７２】
この加湿換気モードでは、図８を参照すると、内気吸込口３から第２通気風路８に吸い込まれた内気ＲＡは、前記調湿用設定速度にて回転する調湿ロータＬ、顕熱交換器２５の第２熱交換流路を順次通過して通流して、排気送出口４から排気ダクトを通じて排出用空気ＥＡとして屋外に排出され、一方、給気吸込口１から前記給気風路６に吸い込まれた外気ＯＡは、顕熱交換器２５の第２熱交換流路、加熱作用状態の加湿用加熱器４０、前記調湿用設定速度にて回転する調湿ロータＬを順次通過して通流して、給気送出口２から給気ダクトを通じて空調対象室に供給される。
【００７３】
そして、内気ＲＡは、調湿ロータＬを通過するときに、その内気ＲＡ中の水蒸気が調湿ロータＬに吸収されて内気ＲＡが除湿されると共に凝縮熱により加熱され、その除湿並びに加熱された内気ＲＡが顕熱交換器２５を通過するときに外気ＯＡとの熱交換により冷却された後、排出用空気ＥＡとして屋外に排出され、一方、外気ＯＡは、顕熱交換器２５を通過するときに内気ＲＡとの熱交換により加熱され、更に、前記加湿用加熱器４０を通過することで加熱され、そのように加熱された外気ＯＡが調湿ロータＬを通過するときに調湿ロータＬから放湿されて加湿され、そのように加湿並びに加熱された外気ＯＡが供給用空気ＳＡとして空調対象室に供給されるので、空調対象室が換気されながら加湿される。
【００７４】
前記通常換気モードでは、前記給気送風機７及び前記排気送風機９夫々を作動させ、前記電動モータ１１を停止させて前記調湿ロータＬの回転を停止させ、前記加湿用熱動弁４２を閉弁して前記加湿用加熱器４０を加熱停止状態にする。
この通常換気モードでは、図８を参照すると、内気吸込口３から第２通気風路８に吸い込まれた内気ＲＡは、回転停止状態の調湿ロータＬ、顕熱交換器２５の第２熱交換流路を順次通過して通流して、排気送出口４から排気ダクトを通じて排出用空気ＥＡとして屋外に排出され、一方、給気吸込口１から給気風路６に吸い込まれた外気ＯＡは、顕熱交換器２５の第１熱交換流路、加熱停止状態の加湿用加熱器４０、回転停止状態の調湿ロータＬを順次通過して、給気送出口２から給気ダクトを通じて供給用空気ＳＡとして空調対象室に供給されることになり、空調対象室が換気される。
【００７５】
〔別実施形態〕
次に別実施形態を説明する。
【００７６】
（イ）上記各実施形態では、前記加熱手段としての再生用加熱器１２や加湿用加熱器４０が、熱交換器としての前記顕熱交換器２５における前記第２空気流出室３２に臨む前記調湿ロータＬ側の側面に略沿うように近接させて配備されている構成を例示したが、このような構成に限らず、前記加熱手段は、調整ロータの端面に沿うように調湿ロータＬに近接させる状態で配備する構成としてもよい。
【００７７】
（ロ）上記各実施形態では、前記ケーシング５内に、前記調湿ロータＬ及び前記熱交換器２５が配設される空調機器配設空間に対して前記調湿ロータＬと前記熱交換器２５との並び方向と直交する方向に隣接する状態で送風機器配設空間が区画形成され、この送風機器配設空間内に、前記調湿ロータＬと前記熱交換器２５との並び方向に沿って並ぶ状態で、第１通風手段としての前記給気送風機７と、第２通風手段としての前記排気送風機９とが配設される構成としたが、このような構成に代えて、例えば、前記空調機器配設空間に対して前記調湿ロータＬと前記熱交換器２５との並び方向に沿って隣接するように送風機器配設空間が区画形成して、この送風機器配設空間に第１通風手段としての前記給気送風機７と、第２通風手段としての前記排気送風機９とを配設する構成としてもよい。
【００７８】
（ハ）上記各実施形態では、前記熱交換器が、前記第２空気流出室に臨む前記調湿ロータ側の側面が、その熱交換器と前記調湿ロータＬとの並び方向に沿う仮想線に対して４５度よりも大きい角度として６５°をあけて傾斜させる状態で配備される構成としたが、この角度は６５°に限定されるものではなく、６５°以外の角度であってもよく、要するに４５°よりも大きく９０°よりも小さい角度であればよい。
又、このような構成に変えて、前記熱交換器を、前記第２空気流出室に臨む前記調湿ロータＬ側の側面がその熱交換器と前記調湿ロータとの並び方向に沿う仮想線に対して４５度の角度をあけて傾斜させる状態で配備する構成としてもよい。
【００７９】
（ニ）上記実施形態では、前記加熱手段としての再生用加熱器１２や加湿用加熱器４０が熱媒循環式に構成されるものを例示したが、例えば、電気ヒータ等の他の形式の加熱手段でも良い。
【図面の簡単な説明】
【００８０】
【図１】第１実施形態の空調装置の一部切欠平面図
【図２】第１実施形態の空調装置の一部切欠正面図
【図３】第１実施形態の空調装置の一部切欠側面図
【図４】調湿ロータの斜視図
【図５】温度分布の計測結果を示す図
【図６】温度分布の計測結果を示す図
【図７】温度分布の計測結果を示す図
【図８】第２実施形態の空調装置の一部切欠平面図
【符号の説明】
【００８１】
５          ケーシング
６，８      通気風路
７          第１通風手段
９          第２通風手段
１０        調湿体
１１        駆動手段
１２，４０  加熱手段
１６        空調機器配設空間
１７        送風機器配設空間
２５        熱交換器
Ｌ          調湿ロータ
【図１】
2008145019.tif 000003
【図２】
2008145019.tif 000004
【図３】
2008145019.tif 000005
【図４】
2008145019.tif 000006
【図５】
2008145019.tif 000007
【図６】
2008145019.tif 000008
【図７】
2008145019.tif 000009
【図８】
2008145019.tif 000010